(57)【要約】【課題】受信通知を適切に行うことができるようにしたネットワークファクシミリ装置を提供することを目的としている。【解決手段】伝送前手順において信号ＳＵＢを受信した場合、その信号ＳＵＢで通知されたＦコードに対応したＦコード登録情報を調べ、そのＦコード登録情報に通知先電子メールアドレスが登録されている場合には、画情報を受信した旨を通知する着信通知電子メールを作成して、その登録されている通知先電子メールアドレスへ送信するようにしているので、Ｆコードに登録されたユーザに対して着信通知がされ、その結果、非常に自由度が高い着信通知アプリケーションを実現することができるという効果を得る。【選択図】          図５
2005045294.tif 000002
【特許請求の範囲】
【請求項１】
公衆網へ接続し、所定のファクシミリ通信を行うファクシミリ通信機能と、ネットワークへ接続し、電子メールを用いて情報をやりとりするネットワークファクシミリ機能を備えたネットワークファクシミリ装置において、
Ｆコードに対応して、画情報受信通知の電子メールアドレスを記憶するＦコード登録情報を記憶した記憶手段を備え、
ファクシミリ通信機能で画情報を受信した際、信号ＳＵＢでＦコードが通知されると、当該受信画情報を蓄積するとともに、通知されたＦコードに対応した電子メールアドレスを上記記憶手段に記憶したＦコード登録情報から読み出し、その読み出した電子メールアドレスへ、画情報受信を通知する電子メールを送信することを特徴とするネットワークファクシミリ装置。
【請求項２】
前記電子メールには、受信画像の１ページ目の画情報データを添付することを特徴とする請求項１記載のネットワークファクシミリ装置。
【請求項３】
公衆網へ接続し、所定のファクシミリ通信を行うファクシミリ通信機能と、ネットワークへ接続し、電子メールを用いて情報をやりとりするネットワークファクシミリ機能を備えたネットワークファクシミリ装置において、
Ｆコードに対応して、画情報受信通知の電子メールアドレスを記憶するＦコード登録情報を記憶した記憶手段を備え、
ファクシミリ通信機能で画情報を受信した際、信号ＳＵＢでＦコードが通知されると、当該受信画情報を蓄積するとともに、Ｆコード受信時に電子メールで受信通知を行う旨が設定されているときには、通知されたＦコードに対応した電子メールアドレスを上記記憶手段に記憶したＦコード登録情報から読み出し、その読み出した電子メールアドレスへ、画情報受信を通知する電子メールを送信することを特徴とするネットワークファクシミリ装置。
【発明の詳細な説明】
【０００１】
【発明の属する技術分野】
本発明は、公衆網へ接続し、所定のファクシミリ通信を行うファクシミリ通信機能と、ネットワークへ接続し、電子メールを用いて情報をやりとりするネットワークファクシミリ機能を備えたネットワークファクシミリ装置に関する。
【０００２】
【従来の技術】
従来より、公衆網へ接続し、所定のファクシミリ通信を行うファクシミリ通信機能と、ネットワークへ接続し、電子メールを用いて情報をやりとりするネットワークファクシミリ機能を備えたネットワークファクシミリ装置が実用されていた。
【０００３】
このようなネットワークファクシミリ装置では、例えば、送信元の相手先情報に対応させて電子メールアドレスを登録し、画情報受信時に相手先より通知された相手先情報に対応する電子メールアドレスに対して、画情報受信を通知する電子メールを送信するようにしたものがあった（特許文献１参照）。
【０００４】
それにより、画情報を受信した旨が、その相手先情報に登録された宛先へ通知されるので、当該宛先ユーザは、画情報を取得する等の作業を適切におこなえることとなる。
【０００５】
【特許文献１】
特開平１１−３１３１９０号公報
【０００６】
【発明が解決しようとする課題】
しかしながら、このような従来装置では、送信元に対して、受信通知先が登録されているため、送信ユーザが意図した宛先ユーザを指定することが困難であり、使い勝手が悪いという問題があった。
【０００７】
本発明は、かかる実情に鑑みてなされたものであり、受信通知を適切に行うことができるようにしたネットワークファクシミリ装置を提供することを目的としている。
【０００８】
【課題を解決するための手段】
本発明は、公衆網へ接続し、所定のファクシミリ通信を行うファクシミリ通信機能と、ネットワークへ接続し、電子メールを用いて情報をやりとりするネットワークファクシミリ機能を備えたネットワークファクシミリ装置において、Ｆコードに対応して、画情報受信通知の電子メールアドレスを記憶するＦコード登録情報を記憶した記憶手段を備え、ファクシミリ通信機能で画情報を受信した際、信号ＳＵＢでＦコードが通知されると、当該受信画情報を蓄積するとともに、通知されたＦコードに対応した電子メールアドレスを上記記憶手段に記憶したＦコード登録情報から読み出し、その読み出した電子メールアドレスへ、画情報受信を通知する電子メールを送信するようにしたものである。また、前記電子メールには、受信画像の１ページ目の画情報データを添付するようにしたものである。
【０００９】
また、公衆網へ接続し、所定のファクシミリ通信を行うファクシミリ通信機能と、ネットワークへ接続し、電子メールを用いて情報をやりとりするネットワークファクシミリ機能を備えたネットワークファクシミリ装置において、Ｆコードに対応して、画情報受信通知の電子メールアドレスを記憶するＦコード登録情報を記憶した記憶手段を備え、ファクシミリ通信機能で画情報を受信した際、信号ＳＵＢでＦコードが通知されると、当該受信画情報を蓄積するとともに、Ｆコード受信時に電子メールで受信通知を行う旨が設定されているときには、通知されたＦコードに対応した電子メールアドレスを上記記憶手段に記憶したＦコード登録情報から読み出し、その読み出した電子メールアドレスへ、画情報受信を通知する電子メールを送信するようにしたものである。
【００１０】
【発明の実施の形態】
以下、添付図面を参照しながら、本発明の実施の形態を詳細に説明する。
【００１１】
図１は、本発明の一実施例にかかるネットワークシステムを示している。
【００１２】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１３】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１４】
また、ワークステーション装置ＷＳ１〜ＷＳｎには、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１５】
また、ネットワークファクシミリ装置ＦＸは、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行うファクシミリ通信機能を備えている。
【００１６】
図２は、ネットワークファクシミリ装置ＦＸの構成例を示している。
【００１７】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００１８】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００１９】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２０】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２１】
網制御装置１１は、このネットワークファクシミリ装置ＦＸをアナログ公衆回線網ＰＳＴＮに接続するためのものであり、自動発着信機能を備えている。
【００２２】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２３】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２４】
また、網制御装置１１とグループ３ファクシミリモデム１０との間のデータのやりとりは、直接行なわれている。
【００２５】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００２６】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００２７】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  ＰｕｒｐｏｓｅＭａｉｌ  Ｅｘｔｅｎｓｉｏｎ）形式）などでそれぞれ規定されている。
【００２８】
そして、ネットワークファクシミリ装置ＦＸは、読み取った原稿画像をアナログ公衆回線網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザや他のネットワークファクシミリ装置へ送信する機能等を備えている。
【００２９】
ここに、ファクシミリ画情報はバイナリデータであり、電子メールには、直接バイナリデータを含ませることができないので、所定の変換方法（例えば、Ｂａｓｅ６４符号化方法）を適用して可読情報（７ビットのキャラクタコード）に変換した状態で、電子メールに含められる。このような電子メールの本文情報の形式をＭＩＭＥ形式という。
【００３０】
さて、グループ３ファクシミリ通信機能の１つに、Ｆコードを用いた親展ボックスの機能がある。これは、画情報受信時に送信側より信号ＳＵＢを受信した場合、その信号ＳＵＢで指定されたＦコードに登録されているユーザへの親展受信動作を行うというものである。
【００３１】
この親展ボックスの機能を用いることで、ネットワークファクシミリ装置ＦＸを複数のユーザで共用する場合の電文の秘匿性を高めることができる。
【００３２】
本実施例では、このＦコードを用いた親展ボックス機能を利用して、着信通知機能を実現する。すなわち、まず、図３に示したＦコード登録情報のように、あらかじめＦコードに着信通知する通知先の電子メールアドレスを登録しておく。また、画像添付フラグは、通着信知の電子メールに、受信画情報の１ページ目を添付するか否かを指定するためのものである。このＦコード登録情報は、必要に応じてそれぞれのＦコードについて作成されて、例えば、パラメータメモリ３に保存される。
【００３３】
そして、画情報受信時、伝送前手順において信号ＳＵＢを受信した場合、その信号ＳＵＢで通知されたＦコードに対応したＦコード登録情報を調べ、そのＦコード登録情報に通知先電子メールアドレスが登録されている場合には、画情報を受信した旨を通知する着信通知電子メールを作成して、その登録されている通知先電子メールアドレスへ送信する。
【００３４】
また、そのとき、Ｆコード登録情報の画像添付フラグがセットされている場合には、１ページ目の受信画情報をその着信通知電子メールの本文情報へ、添付ファイルとして添付する。
【００３５】
このようにすることで、Ｆコードに登録されたユーザに対して、着信通知がされるので、非常に自由度が高い着信通知アプリケーションを実現することができる。
【００３６】
また、本来、信号ＳＵＢを受信した場合には、親展受信扱いとなるので、受信ユーザが親展受信ファイルを引き出す操作が必要となり、本実施例の場合には、その受信ユーザへ電子メールで受信通知を行うことができるので、本実施例の受信通知アプリケーションは、信号ＳＵＢを用いた画情報通信との整合性がよく、また、信号ＳＵＢを用いた画情報通信アプリケーションの利用性を高めることができる。
【００３７】
図１は、ネットワークファクシミリ装置ＦＸにＦコード登録情報を作成する際の処理の一例を示している。この登録作業は、例えば、操作表示部７を適宜に用いることで行われる。
【００３８】
まず、ユーザがＦコード登録を指定すると（処理１０１）、ユーザに対して登録するＦコードを入力させ（処理１０２）、通知先電子メールアドレスを入力させ（処理１０３）、画像添付フラグの値をセットまたはリセットに設定させる（処理１０４）。
【００３９】
このようなユーザの入力が終了すると、処理１０２，１０３，１０４で入力されたＦコード値、通知先電子メールアドレス、および、画像添付フラグの値をもつＦコード登録情報を作成して保存する（処理１０５）。
【００４０】
図２は、ネットワークファクシミリ装置ＦＸが着信時に行う処理の一例を示している。
【００４１】
着信検出すると（処理２０１）、着信応答して回線を確立する（処理２０２）。そして、着信時における所定のグループ３ファクシミリ伝送前手順処理を行う（処理２０３）。
【００４２】
ここで、伝送前手順において、信号ＳＵＢを受信したかどうかを調べる（判断２０４）。判断２０４の結果がＹＥＳになるときには、所定のグループ３ファクシミリ受信処理を行って、受信画情報を画像蓄積装置９に保存する（処理２０５）。
【００４３】
画情報の受信が終了すると、所定の伝送後処理を行い（処理２０６）、回線を復旧する（処理２０７）。
【００４４】
次に、受信した信号ＳＵＢのＦコードが、いずれかのＦコード登録情報に登録されているかどうかを調べ（判断２０８）、判断２０８の結果がＹＥＳになるときには、当該Ｆコード登録情報に通知先電子メールアドレスが登録されているかどうかを調べる（判断２０９）。
【００４５】
判断２０９の結果がＹＥＳになるときには、当該Ｆコード登録情報に登録された画像添付フラグの値が「セット」であるかどうかを調べる（判断２１０）。
【００４６】
判断２１０の結果がＹＥＳになるときには、宛先電子メールアドレスとしてＦコード登録情報に登録されていた通知先電子メールアドレスの値をセットし、送信元電子メールアドレスとして自端末にセットされている電子メールアドレスの値をセットし、その他、適宜なフィールドに適宜な値をセットした電子メールのマルチパートＭＩＭＥ形式のヘッダ情報を作成する（処理２１１）。
【００４７】
次いで、画像蓄積装置９に蓄積した親展画情報の１ページ目の画像情報を添付ファイルとして添付した本文情報を作成する（処理２１２）。ここで、この本文情報は、着信通知の目的を達成できるような文面（例えば、「ファクシミリ文書を受信しましたので、受け取りに来て下さい。」等）のテキストパートを含む。
【００４８】
そして、処理２１１および処理２１２で作成した電子メールを、メールサーバ装置ＳＭへ送信する（処理２１３）。
【００４９】
また、判断２１０の結果がノーになるときには、宛先電子メールアドレスとしてＦコード登録情報に登録されていた通知先電子メールアドレスの値をセットし、送信元電子メールアドレスとして自端末にセットされている電子メールアドレスの値をセットし、その他、適宜なフィールドに適宜な値をセットした電子メールのヘッダ情報を作成する（処理２１４）。
【００５０】
次いで、着信通知の目的を達成できるような文面（例えば、「ファクシミリ文書を受信しましたので、受け取りに来て下さい。」等）の本文情報を作成する（処理２１５）。
【００５１】
そして、処理２１３へ進み、処理処理２１４および処理２１５で作成した電子メールを、メールサーバ装置ＳＭへ送信する。
【００５２】
また、判断２０９の結果がＮＯになるとき、および、判断２０８の結果がＮＯになるときには、所定の親展受信時の処理を行う（処理２１６）。
【００５３】
また、判断２０４の結果がＮＯになるときには、通常の受信処理を行い（処理２１７）、画情報の受信を終了すると所定の伝送後手順を行い（処理２１８）、回線を復旧して（処理２１９）、このときの処理を終了する。
【００５４】
なお、上述した実施例では、ローカルエリアネットワークＬＡＮを介して広域ネットワーク（インターネット）に接続されているネットワークファクシミリ装置を想定しているが、直接、広域ネットワークへ接続するような形態の場合についても本発明を同様にして適用することができる。
【００５５】
また、上述した実施例では、ファクシミリ通信機能としてグループ３ファクシミリ通信機能を備えている場合について説明したが、グループ４ファクシミリ通信機能を備えた場合についても、本発明を同様にして適用することができる。
【００５６】
【発明の効果】
以上説明したように、本発明によれば、伝送前手順において信号ＳＵＢを受信した場合、その信号ＳＵＢで通知されたＦコードに対応したＦコード登録情報を調べ、そのＦコード登録情報に通知先電子メールアドレスが登録されている場合には、画情報を受信した旨を通知する着信通知電子メールを作成して、その登録されている通知先電子メールアドレスへ送信するようにしているので、Ｆコードに登録されたユーザに対して着信通知がされ、その結果、非常に自由度が高い着信通知アプリケーションを実現することができるという効果を得る。
【図面の簡単な説明】
【図１】本発明の一実施例にかかるネットワークシステムを示したブロック図。
【図２】ネットワークファクシミリ装置ＦＸの構成例を示したブロック図。
【図３】Ｆコード登録情報の一例を示した概略図。
【図４】ネットワークファクシミリ装置ＦＸにＦコード登録情報を作成する際の処理の一例を示したフローチャート。
【図５】ネットワークファクシミリ装置ＦＸが着信時に行う処理の一例を示したフローチャート。
【符号の説明】
ＦＸ  ネットワークファクシミリ装置
【図１】
2005045294.tif 000003
【図２】
2005045294.tif 000004
【図３】
2005045294.tif 000005
【図４】
2005045294.tif 000006
【図５】
2005045294.tif 000007